(57)【要約】【課題】  ＭＯディスク等の記録媒体からの登録操作が容易となり、また画像閲覧を即座に行うことができる使い勝手のよい装置を得る。【解決手段】  ドライブ１５へＭＯディスク１４が挿入されたことを自動的に検知し、挿入されたＭＯディスク１４内での画像を含む検査データの記録形式を自動的に認識し、この検査データの中から抽出された例えば患者ＩＤと検査日時を、本体１０内の登録データと照合することによってＭＯディスク１４内の検査データが新規であるかを判定する。この新規の検査データは自動的に登録すると共に、閲覧可能に制御する。例えば、ＭＯディスク１４に１検査データのみが記録されているときは、その画像を自動的に閲覧表示する。また、検査データを仮登録して自動的に一覧表示した後に、選択によって本登録するようにしてもよい。【選択図】  図１
2005074055.tif 000002
【特許請求の範囲】
【請求項１】
医療用装置で得られた画像を含む検査データが記録された出し入れ自在の記録媒体を読取り部に挿入し、この記録媒体内の検査データを本体記録部へ登録する医療用画像ファイリング装置において、
上記読取り部へ上記記録媒体が挿入されたことを自動的に検知する記録媒体認識手段と、
この記録媒体認識手段にて記録媒体の挿入が検知されたとき、この記録媒体の記録形式を自動的に認識して記録内容を特定するための識別データを抽出し、この識別データから上記記録媒体内の検査データが新規であるか否かを判定し、この新規の検査データを閲覧可能に制御する制御回路と、を設けたことを特徴とする医療用画像ファイリング装置。
【請求項２】
上記制御回路は、上記記録媒体内の検査データが新規であると判定したとき、その検査データを自動的に本体記録部へ登録・制御することを特徴とする上記請求項１記載の医療用画像ファイリング装置。
【請求項３】
上記制御回路は、上記記録媒体内の検査データが新規であると判定したとき、その検査データを自動的に本体記録部へ仮登録すると共に、この検査データを自動的に一覧表示し、その後に選択された検査データを本登録するように制御することを特徴とする上記請求項１記載の医療用画像ファイリング装置。
【発明の詳細な説明】
【技術分野】
【０００１】
本発明は医療用画像ファイリング装置、特に内視鏡画像や超音波画像を患者データと共に登録し、これらの画像及び患者の検査データを閲覧し又は出力することができる医療用画像ファイリング装置に関する。
【背景技術】
【０００２】
内視鏡装置は、スコープ先端部等に配置されたＣＣＤ（Charge Coupled Device）等の固体撮像素子によって、光照明された被観察体を撮像しており、この被観察体画像をモニタに表示することができ、同時にこの内視鏡画像は患者や医療状況に関する情報と共に、ＭＯ（光磁気）ディスク等の出し入れ自在（読出し書込み自在）の記録媒体に記録可能に構成される。
また、超音波診断装置は、超音波を送波した被観察体内から反射された反射波に基づいて、体内の断層画像を形成しており、この超音波画像もモニタに表示すると共に、出し入れ自在の記録媒体に記録することができる。
【０００３】
一方、医療用画像ファイリング装置は、上記ＭＯディスク内の記録検査データを読み込み、上記の内視鏡画像や超音波画像を患者及び医療状況等の関連情報と共に登録（例えば本体ハードディスクに記録）して管理しており、適宜、モニタでの閲覧やレポートの作成／出力を行うことができる。また、上記の内視鏡装置や超音波診断装置はそれぞれの記録形式で画像及びその関連情報をＭＯディスクに記録・保存することになるが、この画像ファイリング装置では、上記各種の記録形式に対応して画像及びその関連情報を登録できるようになっている。
【特許文献１】特開平９−４７４２８号公報
【特許文献２】特開２０００−３３０７２号公報
【発明の開示】
【発明が解決しようとする課題】
【０００４】
しかしながら、従来の医療用画像ファイリング装置では、挿入されたＭＯディスクから新たな内視鏡画像、超音波画像等を含む検査データをオフラインで登録する場合、キーボード等により必ずメインメニュー等の入力画面に戻して登録操作を行う必要があり、しかもこの操作は検査毎に繰り返さなければならず、１日に多数の検査データがある場合は操作が煩雑となる。また、検査毎に患者へ説明を行う場合にも、上記の登録操作の後に検索画面から今入力した画像を選択して再生（閲覧）する必要があり、この画像閲覧を手早く行うことができないという問題があった。
【０００５】
本発明は上記問題点に鑑みてなされたものであり、その目的は、ＭＯディスク等の記録媒体からの検査データの登録操作が容易となり、しかも画像閲覧を即座に行うことができ、使い勝手のよい医療用画像ファイリング装置を提供することにある。
【課題を解決するための手段】
【０００６】
上記目的を達成するために、請求項１に係る発明は、医療用装置で得られた画像を含む検査データが記録された出し入れ自在の記録媒体を読取り部に挿入し、この記録媒体内の検査データを本体記録部へ登録する医療用画像ファイリング装置において、上記読取り部へ上記記録媒体が挿入されたことを自動的に検知する記録媒体認識手段と、この記録媒体認識手段にて記録媒体の挿入が検知されたとき、この記録媒体の記録形式を自動的に認識して記録内容を特定するための識別データを抽出し、この識別データから上記記録媒体内の検査データが新規であるか否かを判定し、この新規の検査データを閲覧可能に制御する制御回路と、を設けたことを特徴とする。
【０００７】
請求項２に係る発明は、上記制御回路が、上記記録媒体内の検査データが新規であると判定したとき、その検査データを自動的に本体記録部へ登録・制御することを特徴とする。
請求項３に係る発明は、上記制御回路が、上記記録媒体内の検査データが新規であると判定したとき、その検査データを自動的に本体記録部へ仮登録（一時的に登録）すると共に、この検査データを自動的に一覧表示し、その後に選択された検査データを本登録するように制御することを特徴とする。
【０００８】
上記請求項１の構成によれば、記録媒体の読取り部への挿入を自動的に認識し、現在の操作処理が如何なる状態であっても、記録媒体内の記録形式の自動認識に基づいて画像を含む検査データの識別情報を抽出し、この識別情報から上記記録媒体内の検査データが新規であるか否かを判定することにより、この新規の検査データが閲覧可能な状態となる。従って、入力画面から登録操作をすることなく、ＭＯディスク内の画像を即座に表示し、閲覧することが可能となる。
【０００９】
また、請求項２の構成によれば、記録媒体内の検査データが新規であると判定したときは、その検査データが自動的に本体記録部へ登録（記録）するので、従来のような入力画面からのキーボード等による登録操作が不要になる。
更に、請求項３の構成によれば、記録媒体内の検査データが新規であると判定したとき、その検査データを本体記録部へ一旦仮登録し、同時に自動的に一覧表示する。そして、この一覧表示画面で登録の選択・設定が行われると、選択された検査データが本登録される。従って、この場合は、一覧表示を見ながら必要な検査データを選択して登録し、閲覧することができ、また記録媒体内の検査データのバックアップとしての役割をさせることが可能となる。
【発明の効果】
【００１０】
以上説明したように、本発明によれば、読取り部に対する記録媒体の挿入を自動認識すると共に、この記録媒体の記録形式を自動認識した後に抽出した識別情報から記録媒体内の検査データが新規であるか否かを判定し、この新規の検査データを閲覧可能に制御するようにしたので、従来のように入力画面（メインメニュー）から操作することなく、ＭＯディスク等の記録媒体内の検査画像の閲覧を即座に行うことができ、検査データの登録操作も容易となる。
【００１１】
また、請求項２の発明によれば、記録媒体内の検査データが新規であるかを判定して、その検査データを自動的に本体記録部へ登録するので、従来のような入力画面からのキーボードによる登録操作が不要になり、使い勝手のよい装置が得られる。
【００１２】
更に、請求項３の発明によれば、記録媒体内の検査データを一旦仮登録すると共に自動的に一覧表示し、その後に選択された新規の検査データを本登録するので、一覧表示を見ながら必要な画像を選択して容易に登録・閲覧することができる。これは、他の病院の検査データを画像閲覧し、登録はしない場合等に便利であり、また記録媒体内の検査データのバックアップとしての役割をさせることが可能となる。
【発明を実施するための最良の形態】
【００１３】
図１には、実施例に係る医療用画像ファイリング装置の概観が示されており、この装置は、記録媒体としてＭＯディスクを用いたもので、本体１０、キーボード１１及びモニタ１２からなる。この本体１０には、記録媒体であるＭＯディスク１４を挿入可能にするＭＯドライブ（読取り部であるが、書込みも可能）１５が設けられており、このＭＯドライブ１５には、図示していないが、ＭＯディスク１４の挿入を検知するための検知手段が配置される。この検知手段としては、マイクロスイッチのような機械的な手段、フォトインタラプタのような光検知手段を用いることができる。また、この本体１０には、記録部としてのハードディスク１６及びファイリングのためのプログラムを実行する制御回路（マイコンを含む）１７が設けられており、この制御回路１７は上記検知手段での検出信号に基づいてＭＯディスク１４の挿入を自動的に認識する。
【００１４】
この画像ファイリング装置では、各種の内視鏡装置や各種の超音波診断装置において記録された画像を含む検査データを登録し管理することが可能となっており、上記制御回路１７は、挿入されたＭＯディスク１４における検査データの記録形式を自動的に認識し、本装置の所定の記録形式でファイリングする。例えば、ＭＯディスク１４内の画像及びこれに関連する情報は、各装置で下記の表１に示すような形式(フォーマット)で記録される。
【００１５】
【表１】
2005074055.tif 000003
【００１６】
上記Ａ装置の患者ＩＤ．ｉｎｉの内容として、患者名、患者ＩＤ、性別、生年月日、年齢、検査日時、検査開始時刻、装置名、ドクター名、病院名等の情報が書き込まれる。また、Ｃ装置の検査情報連番．ｔｘｔの内容として、患者ＩＤ、検査日時、検査開始時刻、検査終了時刻、画像開始No.、画像終了No.等が書き込まれる。そして、実施例のファイリング装置では、例えば次の表２の記録形式が採用される。
【００１７】
【表２】
2005074055.tif 000004
【００１８】
この表２の検査情報は、原則として上記Ａ〜Ｃの装置で記録される全ての検査情報であり、この中には、画像を形成した装置（Ａ〜Ｃ）の識別情報も含まれる。そして、上記制御回路１７は、ＭＯディスク１４内のデータのフォルダやディレクトリの階層構造（フォーマット構成）、或いは患者ＩＤ、画像連番、検査情報連番のファイル拡張子等によって、Ａ〜Ｃの何れの装置で記録されたものであるかを判定し、この判定に基づいて、ＭＯディスク１４内の情報を上記表２のフォーマットで記録（登録）することになる。
【実施例１】
【００１９】
図２乃至図４には、具体的制御の実施例１が示されており、図２は記録媒体の自動認識に関する制御フローチャート、図３はメインメニューからの通常操作の制御フローチャートである。まず、図３において、装置の電源が投入されると、制御回路１７によってメインメニューがモニタ１２に表示され［ステップ（以下STとする）１０１］、次のST１０２ではこのメインメニューの中のエンド（終了）ボタンがキーボード１１で選択・実行されたか否かの判定が行われ、Ｙ（Ｙｅｓ）のときはファイリング終了処理が行われる（ST１０３）。一方、Ｎ（Ｎｏ）であれば、ST１０４にてメインメニュー内の複数検査処理設定ボタンが選択されたか否かの判定が行われ、Ｙのときは、複数検査処理設定へ移行する（ST１０５）。即ち、図２で後述するが、当該例では、ＭＯディスク１４内に複数の検査データが含まれる場合に、これらの検査データにつき自動的に画像閲覧に移行するか、一覧表示に移行するかの選択ができるようになっており、上記ST１０４ではこの選択が行われる。
【００２０】
上記ST１０４でＮのときは、次のST１０６にてメインメニューの画像閲覧ボタンが選択されたか否かの判定が行われ、Ｙのときは画像閲覧処理が行われ（ST１０７）、次のST１０８では、ＭＯディスク１４内のデータが新規検査データであるか否かの判定が行われる。即ち、実施例では表２に示したように、患者ＩＤ及び検査日時を照合（検索）データとするために、ハードディスク１６内に患者ＩＤと検査日時のデータ名のフォルダを作っており、このフォルダ名である患者ＩＤ及び検査日時とＭＯディスク１４から抽出した患者ＩＤ及び検査日時とを照合することにより、新規であるか否かが判定される。そして、ここで検査データが新規であると判定されたとき（Ｙのとき）に、ハードディスク１６へ新規検査データ（画像及び関連情報）が自動的に登録される。
【００２１】
上記ST１０６にて、Ｎのときは次のST１１０でメインメニューの一覧表示ボタンが選択されたか否かが判定され、ここでＹのときに検査データを一覧表示する（ST１１１）。一方、Ｎのときは、次のST１１２でその他の処理ボタンが選択されたか否かが判定され、この判定に従って、検索、所見登録、画像比較等の各処理が行われる（ST１１３）。
【００２２】
そして、上記のような通常の制御動作中において、ドライブ１５にＭＯディスク１４が挿入されると、制御回路１７では図２のＭＯ自動認識制御（割込み動作）が行われる。まず、図２のST２０１では、ＭＯディスク１４が挿入されているか否かの判定が行われ、このＭＯディスク１４の挿入を検知手段が検知し、この検知信号が制御回路１７へ供給されると（Ｙのとき）、次のST２０２でＭＯディスク１４の記録形式が自動認識される。即ち、表１で示した各装置の記録形式をフォルダの階層構造やファイル拡張子等によって自動的に認識し、格納されている検査データがＡ〜Ｃ装置のいずれのものであるかを判断する。
【００２３】
次のST２０３では、ＭＯディスク１４内に格納されている検査数が１検査であるか複数検査であるかを判定しており、１検査であったときは、自動的に画像閲覧に移行する。即ち、図３のＥ１からST１０７へ移行し１検査データについての画像閲覧を実行する。一方、複数検査であったときは、次のST２０４にて複数検査処理設定（ST１０５で設定したもの）が画像閲覧になっているか一覧表示になっているかを判定し、画像閲覧設定となっているときはST１０７へ移行し、一覧表示設定となっているときは図３のＥ２からST１１１へ移行して検査データを一覧表示する。
【００２４】
そして、このＭＯディスク１４内の検査データは、図４に示されるように、新規であるか否かの判定が行われて、ハードディスク１６へ登録される。即ち、図４のように、Ａ装置のＭＯディスク１６（Ａ１）内の検査データから、患者ＩＤａ，Ｔ１、患者ＩＤｂ，Ｔ２、患者ＩＤｃ，Ｔ３、患者ＩＤｄ，Ｔ４の識別情報が抽出されたとき、図３のST１０８の判定においては、例えば登録されたフォルダ（ＩＤａ，Ｔ１），（ＩＤｂ，Ｔ２）の存在により、上側の２検査データは新規ではなく、下側の２検査データが新規であると判断される。この結果、（ＩＤｃ，Ｔ３），（ＩＤｄ，Ｔ４）のフォルダが新たに作成され、このフォルダ内にこの患者ＩＤｃ，Ｔ３、患者ＩＤｄ，Ｔ４の検査データが自動的に登録される。
【実施例２】
【００２５】
図５乃至図７には、具体的制御の実施例２が示されており、この実施例２はＭＯディスク１４内の検査データを自動的に仮登録し、その後に選択した検査データのみを最終的に登録するものである。図５は、記録媒体の自動認識に関する制御フローチャート、図６はメインメニューからの通常操作の制御フローチャートである。この実施例２の場合は、図６に示されるように、ST１５１にて一覧表示ボタンが選択されたか否かが判定されており、Ｙのときに検査データをモニタ１２上に一覧表示する（ST１５２）。次のST１５３では、一覧表示された検査データを登録するか否かの設定・選択が行われ、次のST１５４にて選択された検査データのみが本登録される。また、ST１５５の閲覧ボタンの操作判定に従って、検査データ（画像）の閲覧が行われる（ST１５６）。
【００２６】
また、図５に示されるように、このＭＯディスク１４が挿入された場合は、その挿入が検知され（ST２０１）、このディスクの記録形式が自動認識されると（ST２０２）、次のST２５１では、ＭＯディスク１４内の検査データが新規検査であるか否かの判定が行われる。そして、ST２５２では新規検査である検査データにつきハードディスク１６へ仮登録が行われ、図６のＥ３を介してST１５２の検査データの一覧表示へ移行する。そして、この一覧表示の後は、上述したように登録設定が行われた検査データのみが本登録される。
【００２７】
例えば、図７に示されるように、Ｂ装置のＭＯディスク１４（Ｂ１）内に、患者ＩＤａ，Ｔ５、患者ＩＤｆ，Ｔ６、患者ＩＤｇ，Ｔ７、患者ＩＤｈ，Ｔ８の検査データが格納されているときで、これら全てが新規検査であったときは、（ＩＤａ，Ｔ５），（ＩＤｆ，Ｔ６），（ＩＤｇ，Ｔ７），（ＩＤｈ，Ｔ８）のフォルダに検査データが仮登録（保存）される。そして、図６のST１５３で、上側の２検査データにつき登録ＯＮとされ、下側の２検査データについては登録ＯＦＦとされた場合は、上側の患者ＩＤａ，Ｔ５、患者ＩＤｆ，Ｔ６の検査データが本登録され（ST１５４）、患者ＩＤｇ，Ｔ７、患者ＩＤｈ，Ｔ８の検査データについては設定日数後に削除処理される。また、上記の仮登録された図７の検査データに関しては、閲覧ボタンの選択によって画像閲覧することができる（ST１５５，１５６）。
【００２８】
上記実施例２において、本登録を登録するか否かの選択で実行するようにしたが、上記ST１５４に画像閲覧等の選択処理を設定し、画像閲覧の選択をすることによって検査データを自動的に本登録するようにしてもよい。
【００２９】
上記実施例では、ＭＯディスク１４内の検査データが新規であるか否かを患者ＩＤと検査日時のデータで判定したが、例えば、Ａ〜Ｃの装置、画像の容量等の他のデータとの組合せで新規検査の判断をしてもよい。また、記録媒体としてＭＯディスクを用いた場合を説明したが、ＦＤ（Flexible Disk）、ＣＤ（Compact Disk）、ＤＶＤ（Digital Versatile Disk）等の他の記録媒体を利用する場合にも適用することができる。
【図面の簡単な説明】
【００３０】
【図１】本発明の実施例に係る医療用画像ファイリング装置の構成を示す図である。
【図２】実施例１の制御における記録媒体の自動認識に関する動作を示すフローチャート図である。
【図３】実施例１の制御におけるメインメニューからの通常の動作を示すフローチャート図である。
【図４】実施例１での新規検査及び登録の動作を示す説明図である。
【図５】実施例２の制御における記録媒体の自動認識に関する動作を示すフローチャート図である。
【図６】実施例２の制御におけるメインメニューからの通常の動作を示すフローチャート図である。
【図７】実施例２での新規検査及び登録の動作を示す説明図である。
【符号の説明】
【００３１】
１０…本体、          １１…キーボード、
１２…モニタ、
１４…ＭＯディスク（記録媒体）、
１５…ＭＯドライブ（読取り部）、
１６…ハードディスク、  １７…制御回路。
【図１】
2005074055.tif 000005
【図２】
2005074055.tif 000006
【図３】
2005074055.tif 000007
【図４】
2005074055.tif 000008
【図５】
2005074055.tif 000009
【図６】
2005074055.tif 000010
【図７】
2005074055.tif 000011